(57)【特許請求の範囲】
【請求項１】
本体ケースの上面前部側にキー入力部を備え、後部側に単票用紙のフィーダ部を備え、前記フィーダ部から供給搬送された単票用紙に、本体ケース内に配設した印字部にて印字後、本体ケースの下面に対して適宜隙間を隔てて設けた排紙トレイから前方に向かって排紙するように構成された文書作成装置において、前記排紙トレイの後端に連通する排紙口を前記キー入力部の後端の下方より後部に位置させ、排紙トレイの前端縁を、前記キー入力部の前端のほぼ下方位置もしくはそれより後位置に設定したことを特徴とする文書作成装置。
【請求項２】
前記本体ケースの下面前部に設ける携行用把手を、その基部を中心にして前後回動可能に枢支するように構成し、該携行用把手を後向きに回動させたとき収納可能な収納部を、前記前記本体ケースの下面前部に凹み形成する一方、前記排紙トレイの前端縁に前記収納部に沿う切欠き部を形成したことを特徴とする請求項１に記載の文書作成装置。
【請求項３】
前記排紙トレイには、小サイズの単票用紙の前縁が露出し得る用紙掴み用切欠き部を形成し、該用紙掴み用切欠き部の周縁のうち、排紙方向に沿う少なくとも一方の周縁を、排紙方向に対して傾斜するように形成したことを特徴とする請求項１または請求項２に記載の文書作成装置。
【発明の詳細な説明】
【０００１】
【発明の属する技術分野】
本発明は、電子式タイプライター、一般にワードプロセッサと称されている文書作成装置に係り、より詳しくは携帯用の文書作成装置の構造に関するものである。
【０００２】
【従来の技術】
従来、例えば図５に示すこの種携帯用の文書作成装置１００は、本体ケース１０１の上面前部寄り位置にキーボードからなるキー入力部１０２を備える一方、使用時には、前記キー入力部１０２から開いた状態に保持させて、入力された文字等を表示することができる液晶パネル等からなる表示部１０３が本体ケース１０１に開閉可能に装着され、携帯時には、前記表示部１０３をキー入力部１０２に被せるように開閉できる構成であり、さらに、前記表示部１０３より後方において、単票用紙Ｐを挿入して本体ケース１０１内の印字部１０４に向かって給紙するための給紙トレイ１０５を、本体ケース１０１の上面に対して後傾斜状に保持する使用時姿勢と、本体ケース１０１の上面に被さる閉止姿勢とに回動可能に装着されたものが知られている。
【０００３】
そして、印字された単票用紙が印字部１０４の箇所を通過した後、前記給紙トレイ１０５の前方に向かってＵターンして排紙させると、前記Ｕターンの箇所で単票用紙Ｐが強制的に湾曲させられ曲がり癖が付くので、図５に示すように、本体ケース１０１の下面側に位置させた搬送ローラ対１０６を介して排紙口１０８から前方に向かって排紙するため、本体ケース１０１の下面には前方に開放された排紙トレイ１０７を備えたものが提案されている。このような装置の場合、印字された単票用紙Ｐを排紙トレイ１０７から取り出し易くするために、排紙口１０８をキー入力部１０２の下方に位置させ、該排紙口１０８から本体ケース１０１の前端迄の前後方向距離Ｄを短く設定していた。
【０００４】
【発明が解決しようとする課題】
しかしながら、前記図５の従来技術では、オペレータがキー入力部１０２にて文字入力作業中に印字動作も並行して実行する場合、通常キー入力時にオペレータの手首が本体ケース１０１の前端部下方のテーブルに載置されているので、排紙口１０８から本体ケース１０１の前端までの前後方向距離が短いと、余程の短い単票用紙Ｐを除き、通常の長さの単票用紙Ｐを印字後に排紙させると、排紙トレイ１０７内に収まらず、本体ケース１０１の前端下面から前方に突出してしまう。従って、排紙された単票用紙Ｐの前端が本体ケース１０１の前端下面から突出して前記手首に衝突してしまう。それ故印字作業とキー入力作業とを並行して実行できないという問題があった。
【０００５】
本発明は、この問題を解決し、印字作業中でもキー入力を可能した文書作成装置を提供することを目的とするものである。
【０００６】
【課題を解決するための手段】
前記目的を達成するため、請求項１に記載の発明の文書作成装置は、本体ケースの上面前部側にキー入力部を備え、後部側に単票用紙のフィーダ部を備え、前記フィーダ部から供給搬送された単票用紙に、本体ケース内に配設した印字部にて印字後、本体ケースの下面に対して適宜隙間を隔てて設けた排紙トレイから前方に向かって排紙するように構成された文書作成装置において、前記排紙トレイの後端に連通する排紙口を前記キー入力部の後端の下方より後部に位置させ、排紙トレイの前端縁を、前記キー入力部の前端のほぼ下方位置、もしくはそれより後位置に設定したものである。
【０００７】
また、請求項２に記載の発明は、請求項１に記載の文書作成装置において、前記本体ケースの下面前部に設ける携行用把手を、その基部を中心にして前後回動可能に枢支するように構成し、該携行用把手を後向きに回動させたとき収納可能な収納部を、前記前記本体ケースの下面前部に凹み形成する一方、前記排紙トレイの前端縁に前記収納部に沿う切欠き部を形成したものである。
【０００８】
さらに、請求項３に記載の発明は、請求項１または請求項２に記載の文書作成装置において、前記排紙トレイには、小サイズの単票用紙の前縁が露出し得る用紙掴み用切欠き部を形成し、該用紙掴み用切欠き部の周縁のうち、排紙方向に沿う少なくとも一方の周縁を、排紙方向に対して傾斜するように形成したものである。
【０００９】
【発明の実施の形態】
次に、本発明を具体化した実施形態について説明する。図１は文書作成装置１の一部切欠き側面図、図２は文書作成装置１の下面図、図３は把手を出した状態の文書作成装置１の斜視図である。
文書作成装置１は、合成樹脂製等の本体ケース２の上面前部側に、文字、数字記号等のキーや各種ファックションキーが多数配置されたキー入力部３を有し、本体ケース２の上面には前記キー入力部３の後部において、裏面が合成樹脂製等のカバー体４ａにて覆われた液晶ディスプレイ４ｂからなる表示部４を備える。この表示部４の下端（基端）は、横軸５により本体ケース２の前後方向に回動可能に装着されており、使用時には、図１の実線で示す如く、表示部４の上端側を上向き後傾斜させた開き状態に保持でき、不使用時や携帯時には、液晶ディスプレイ４ｂがキー入力部３の上面を覆うようにカバー体４ａにて保護された閉止姿勢（図１の二点鎖線状態参照）となり、フック体６を介して本体ケース２の前端側に係止できる構成である。
【００１０】
図１に示すように、前記表示部４より後方において、本体ケース２の上面後端側には、単票用紙Ｐを傾斜状に積層載置できるフィーダ部としての給紙主トレイ板７がその基端を中心にして前後回動可能に枢着され、使用時においては、給紙主トレイ板７が後上向き傾斜姿勢に保持できる。また、この給紙主トレイ板７の上端には、補助トレイ板８を前後回動可能に枢着させて、当該補助トレイ板８が給紙主トレイ板７の上端から平行状に展開した姿勢と、給紙主トレイ板７の表面に重なるように折り畳んだ姿勢とに選択的に回動させることができる構成である。
【００１１】
本体ケース２内には、前記給紙主トレイ板７の下方前方に半月状ローラ９ａ等が備えられた給紙部９と、それより搬送下流側にインクジェット式等の印字ヘッド１０ａがキャリッジ１０ｂに搭載され、プラテン１０ｃと間を通過する単票用紙Ｐに印字（記録）する印字部１０とを有し、該印字部１０の下方には、前記表示部４の配置位置より本体ケース２の後側に位置する排紙ローラ対１１と排紙口１２とを有する。
【００１２】
そして、前記排紙口１２の下方から、本体ケース２の前端に向かって延びるように装着された平板状の排紙トレイ１３は、本体ケース２の下面２ａと適宜隙間だけ隔てるように配置され、排紙口１２から排紙トレイ１３の前端開口部１３ａまでの前後距離Ｌが、Ａ４サイズの単票用紙Ｐと略等しくなるように設定され、且つ排紙トレイ１３の前端開口縁部１３ａは、少なくとも本体ケース２の前端より後方に配置され、好ましくはキー入力部３の前端の略下方位置となるように設定されている。
【００１３】
図１、図２及び図３に示すように、排紙トレイ１３の基端縁及び左右両側縁には、本体ケース２の下面に係脱する複数の係止フック１４ａ，１４ｂを備える。また、本体ケース２の下面前部には、携行用（手提げ用）の把手１５の両側基部１５ａ，１５ａを前後回動可能に装着し、把手１５を後向きに回動した姿勢では、本体ケース２の下面に凹み形成されたコ字型の収納部１６に嵌まり込んで前記排紙される単票用紙Ｐがつかえないように構成されている。
【００１４】
なお、前記排紙トレイ１３の前縁を、前記収納部１６に対して出入りする把手１５の回動が邪魔にならないような切欠き部１３ｂに形成する一方、該切欠き部１３に連設した用紙掴み用切欠き部１７は、小サイズ（例えばハガキ等）の単票用紙Ｐの前端縁をオペレータの指で直接掴むときに邪魔にならないように形成される（図２及び図３参照）。また、前記用紙掴み用切欠き部１７の周縁のうち、排紙方向に沿う少なくとも一方の周縁１７ａ（好ましくは、単票用紙Ｐの挿入基準側と反対側る周縁）を、排紙方向に対して傾斜するように形成し、小サイズの単票用紙Ｐが排紙されるとき、当該単票用紙Ｐの左右両側縁が前記周縁１７ａにつかえず、且つ排紙トレイ１３上に受けられようにしたものである。さらに、本体ケース２の下面に下向きに突設した複数の足部１８により、テーブル１９に文書作成装置１を載置したとき、前記排紙トレイ１３がテーブル１９により押圧されて撓ないように隙間を確保している。
【００１５】
また、排紙トレイ１３の前端開口縁部１３ａを上向きに湾曲形成することにより、排紙された単票用紙Ｐの前端縁が排紙トレイ１３の前端から僅かに突出した場合にも、テーブル１９に接触しないから、単票用紙Ｐをオペレータが指で掴み易い。
次に、前記構成による作用について説明する。文字入力作業に際しては、テーブル１９上に載置した文書作成装置１の本体ケース２から表示部４を開き、電源スイッチ（図示せず）を押下し、電源投入したのち本体ケース２の前端側でオペレータが手首をテーブル１９に載置した状態でキー入力部３に対して入力操作を実行する。
【００１６】
次いで、印字作業するときには、前記フィーダ部における給紙主トレイ板７及び補助トレイ板８上に傾斜状に積載した単票用紙Ｐは、給紙部９の半月状ローラ９ａ等にて１枚ずつに分離し、印字部１０に搬送し、印字後の単票用紙Ｐは排紙ローラ対１１を介して排紙口１２から排紙トレイ１３上に排出される。このとき、排紙トレイ１３上の通常のサイズ（例えはＡ４サイズ）の単票用紙Ｐの前端縁は、本体ケース２の前端より前方には突出しないから、キー入力部３での入力操作を実行するため、オペレータの手首等をテーブル１９上の本体ケース２前端縁近傍に位置させても、排紙された単票用紙Ｐと干渉しないので、印字作業とキー入力操作とを並行的に行うことができるという効果を奏するのである。
【００１７】
【発明の効果】
以上に詳述したように、請求項１に記載の発明の文書作成装置は、本体ケースの上面前部側にキー入力部を備え、後部側に単票用紙のフィーダ部を備え、前記フィーダ部から供給搬送された単票用紙に、本体ケース内に配設した印字部にて印字後、本体ケースの下面に対して適宜隙間を隔てて設けた排紙トレイから前方に向かって排紙するように構成された文書作成装置において、前記排紙トレイの後端に連通する排紙口を前記キー入力部の後端の下方より後部に位置させ、排紙トレイの前端縁を、前記キー入力部の前端のほぼ下方位置、もしくはそれより後位置に設定したものである。
【００１８】
このように、本体ケースの下面における排紙口から本体ケース前縁までの距離を長くし、且つ排紙口から排出される単票用紙を排紙トレイにて載置できるから、大きいサイズの単票用紙の前端縁も本体ケースの前端縁から前方に突出しない。従って、印字作業と並行してキー入力操作を実行しているとき、オペレータの手首等がテーブル上の本体ケースの前端縁近傍に位置させても、排紙された単票用紙と干渉しないので、印字作業とキー入力操作とを並行的に行うことができるという効果を奏するのである。
【００１９】
また、請求項２に記載の発明は、請求項１に記載の文書作成装置において、前記本体ケースの下面前部に設ける携行用把手を、その基部を中心にして前後回動可能に枢支するように構成し、該携行用把手を後向きに回動させたとき収納可能な収納部を、前記前記本体ケースの下面前部に凹み形成する一方、前記排紙トレイの前端縁に前記収納部に沿う切欠き部を形成したものである。
【００２０】
従って、文書作成装置を携帯するときには、前記把手を本体ケースの前端縁よりも前に回動すれば、本体ケースの後端を下向きにした縦状態にて簡単に持ち運び可能となり、他方テーブル等に置いて作業するときには、把手を本体ケース下面の凹み形成された収納部に嵌め込むことにより、排出される単票用紙と干渉することもないという効果を奏するのである。
【００２１】
さらに、請求項３に記載の発明は、請求項１または請求項２に記載の文書作成装置において、前記排紙トレイには、小サイズの単票用紙の前縁が露出し得る用紙掴み用切欠き部を形成し、該用紙掴み用切欠き部の周縁のうち、排紙方向に沿う少なくとも一方の周縁を、排紙方向に対して傾斜するように形成したものである。
【００２２】
この構成により、小サイズの単票用紙が排紙トレイ上に排出された場合に、用紙掴み用切欠き部の箇所にオペレータの指を差し入れて単票用紙を抜き出す作業が至極容易になると共に、用紙掴み用切欠き部の周縁のうち、排紙方向に沿う少なくとも一方の周縁を、排紙方向に対して傾斜するように形成することにより、排出移動する単票用紙の縁が用紙掴み用切欠き部の周縁につかえないという効果を奏する。なお、用紙掴み用切欠き部を前記収納部に沿う切欠き部に連通して形成させれば、大きいサイズから小さいサイズまで、単票用紙を排紙トレイに確実に載置できるものでありながら、いずれのサイズの単票用紙も簡単に取り出せるという効果を奏するのである。
【図面の簡単な説明】
【図１】文書作成装置の一部切欠き側面図である。
【図２】文書作成装置の下面図である。
【図３】文書作成装置を立てた状態で示す斜視図である。
【図４】給紙部の側断面図である。
【図５】従来技術の側面図である。
【符号の説明】
Ｐ        単票用紙
１        文書作成装置
２        本体ケース
２ａ      本体ケースの下面
３        キー入力部
４        表示部
７        給紙主トレイ板
８        補助トレイ板
９        給紙部
１０        印字部
１１        排紙ローラ対
１２        排紙口
１３        排紙トレイ
１３ａ      前端開口部
１９        テーブル
【図１】
0003747567.tif 000002
【図２】
0003747567.tif 000003
【図３】
0003747567.tif 000004
【図４】
0003747567.tif 000005
【図５】
0003747567.tif 000006